(57)【特許請求の範囲】
【請求項１】
内容液を収納する容器体に、トリガーの揺動操作によりノズルヘッドを押下げて、前記内容液の噴射動作を行うトリガーポンプを組付けた容器において、前記トリガーポンプのノズルを含めた上端部を、跨いで覆うノズルカバーを設け、前記トリガーポンプに対してノズルカバーを、移動機構により移動変位可能に組付け、該ノズルカバーの移動を、前記ノズルを覆うと共に、前記トリガーの揺動動作を、ロック機構により不能とする停止位置と、前記ノズルを開放すると共に、前記ロック機構を解除してトリガーの揺動動作を可能とする可動位置との間で行うものとし、前記ノズルカバーの停止位置を、該ノズルカバーに設けたストッパー片をトリガーの下端縁に当接させる位置としたトリガーポンプ付き容器。
【請求項２】
ノズルカバーを、細長板片状の頂板の両側縁から側板を垂下連設して、縦断面形状を、縦長門形にした請求項１に記載のトリガーポンプ付き容器。
【請求項３】
移動機構を、ノズルカバーの両側板の、対向した下端箇所を、トリガーポンプに、軸止ピンにより回動可能に軸止して構成した請求項２に記載のトリガーポンプ付き容器。
【請求項４】
移動機構を、トリガーの両側面とノズルカバーの両側板の内面の一方に、前後方向に沿って形成されたガイド溝と、他方に、前記ガイド溝に移動可能に係合する係合ピンとから構成した請求項２に記載のトリガーポンプ付き容器。
【請求項５】
ロック機構を、ノズルカバーの両側板の内面に突設されたストッパー片と、該ストッパー片が停止位置で乗り越え係止する、トリガーの下端縁に突設された係止突片とから構成した請求項２ないし４のいずれか１項に記載のトリガーポンプ付き容器。
【発明の詳細な説明】
【技術分野】
【０００１】
本発明は、トリガーの揺動操作によりノズルヘッドを押下げて、内容液の噴射動作を行うトリガーポンプ付き容器に関するものである。
【背景技術】
【０００２】
内容液を収納した容器体の口筒部に組付けられるトリガーポンプとして、容器体への組付き部分である組付きキャップから、斜め上後方に支柱を立ち上げ、この支柱の上端にトリガーを揺動可能に枢着し、トリガーの下方への揺動によりノズルヘッドを押下げて、容器体内の内容液を噴射するトリガーポンプ付き容器が知られている。
【０００３】
このタイプのトリガーポンプ付き容器の従来技術として、トリガーポンプにストッパー部材を組付け、このストッパー部材を操作することにより、トリガーを操作可能状態と操作不能状態とに切替えることを可能とし、また不使用時にノズルを覆うノズルカバーを、トリガーポンプに着脱自在に組付けたものがある。
【特許文献１】特開２００７−００７３０１号公報
【０００４】
上記従来技術にあっては、ストッパー部材により、トリガーポンプの誤ったまたは不用意な操作を未然に防止し、これによりトリガーポンプ付き容器の安全性を高めることができ、またノズルカバーにより、ノズルへのホコリ等の付着を防止することができ、これにより高い衛生性を得ることができる。
【発明の開示】
【発明が解決しようとする課題】
【０００５】
しかしながら、上記した従来技術にあっては、専用のストッパー部材を設けなければならず、その分、部品点数が増えて、製造作業が面倒となると共に、専用の切替え操作を必要とし、その分、取扱いが面倒となる、と云う問題があった。
【０００６】
また、取外されたノズルカバーは、トリガーポンプ付き容器から分離した状態となるため、その状態での保管および取扱いが面倒であり、紛失し易い、と云う問題があった。
【０００７】
そこで、本発明は、上記した従来技術における不満点を解消すべく創案されたもので、衛生性を確保しながら不正操作の発生を防止することを技術的課題とし、もって取扱いが簡単で、高い安全性を得ることを目的とする。
【課題を解決するための手段】
【０００８】
本発明のトリガーポンプ付き容器は、内容液を収納するボトル状の容器体と、この容器体の上端口筒部に密に組付けられるトリガーポンプと、このトリガーポンプに移動可能に組付けられるノズルカバーとから構成されている。
【０００９】
トリガーポンプは、トリガーの揺動操作によりノズルヘッドを押下げて、容器体内の内容液をノズルから噴射するもので、ノズルカバーは、このトリガーポンプのノズルを含めた上端部を、跨いで覆う状態で、移動機構により移動可能に組付けられている。
【００１０】
トリガーポンプに対して組付いたノズルカバーの、移動機構による移動は、ノズルを覆うと共に、トリガーの揺動動作を、ロック機構により不能とする停止位置と、ノズルを開放すると共に、ロック機構を解除してトリガーの揺動動作を可能とする可動位置との間で行われ、停止位置では、ノズルカバーに設けたストッパー片がトリガーの下端縁に当接している。
【００１１】
ノズルカバーが停止位置に位置している状態、すなわち不使用状態では、ノズルがノズルカバーで覆われているので、ノズルに対するホコリの付着とか、他の物品の接触を防止すると共に、トリガーの揺動動作をロックして、トリガーポンプの誤ったまたは不用意な操作を未然に防止する。
【００１２】
また、ノズルカバーが可動位置に位置している状態、すなわち使用状態では、ノズルが開放されているので、内容液の噴射を適正に実施できる状態とする共に、ロック機構を解除してトリガーの揺動動作を可能として、内容液の噴射動作を行える状態とする。
【００１３】
トリガーポンプを、不使用状態と使用状態とに切替えるノズルカバーは、トリガーポンプに対して、分離することなく移動可能に組付いているので、トリガーポンプと一体的に取扱われることになる。
【００１４】
本発明の別の構成は、ノズルカバーを、細長板片状の頂板の両側縁から側板を垂下連設して、縦断面形状を、縦長門形にした、ことにある。
【００１５】
ノズルカバーを縦長門形にしたものにあっては、トリガーポンプに対するノズルカバーの、基本的な組付き状態を、ノズルカバーの両側板による、トリガーポンプに対する挟み込みにより得ることができる。
【００１６】
また、本発明の別の構成は、移動機構を、ノズルカバーの両側板の、対向した下端箇所を、トリガーポンプに、軸止ピンにより回動可能に軸止して構成した、ことにある。
【００１７】
移動機構を、ノズルカバーの両側板の、対向した下端箇所を、トリガーポンプに、軸止ピンにより回動可能に軸止して構成したものにあっては、ノズルカバーの停止位置と可動位置の間の移動を、軸止ピンを回動軸とした、単純な回動変位により達成できる。
【００１８】
また、本発明の別の構成は、移動機構を、トリガーの両側面とノズルカバーの両側板の内面の一方に、前後方向に沿って形成されたガイド溝と、他方に、前記ガイド溝に移動可能に係合する係合ピンとから構成した、ことにある。
【００１９】
移動機構を、トリガーの両側面とノズルカバーの両側板の内面の一方に、前後方向に沿って形成されたガイド溝と、他方に、前記ガイド溝に移動可能に係合する係合ピンとから構成したものにあっては、ノズルカバーの停止位置と可動位置の間の移動を、ガイド溝に沿った単純なスライド移動により達成できる。
【００２０】
また、本発明の別の構成は、ロック機構を、ノズルカバーの両側板の内面に突設されたストッパー片と、このストッパー片が停止位置で乗り越え係止する、トリガーの下端縁に突設された係止突片とから構成した、ことにある。
【００２１】
ロック機構を、ノズルカバーに設けたストッパー片と、トリガーに設けた係止突片とから構成したものにあっては、ノズルカバーは、ストッパー片と係止突片との係止により停止位置に保持されることになり、この時、ストッパー片はトリガーの下端縁に下方から当接した状態にあるので、トリガーの下降揺動変位を阻止する。
【００２２】
また、ノズルカバーが可動位置に移動した状態では、ストッパー片と係止突片との係止が解除されると共に、ノズルカバーがノズルから離れるので、トリガーは、ノズルカバーに邪魔されることなく、揺動動作を行うことができる。
【発明の効果】
【００２３】
本発明は、上記した構成となっているので、以下に示す効果を奏する。
本発明にあっては、不使用状態では、ノズルに対するホコリの付着とか、他の物品の接触を防止すると共に、トリガーポンプの誤ったまたは不用意な操作を未然に防止するので、高い衛生性を得ることができると共に、安全な取扱いを得ることができる。
【００２４】
また、ノズルカバーは、トリガーポンプと一体的に取扱われることになるので、取扱いが面倒となることがない。
【００２５】
ノズルカバーを縦長門形にしたものにあっては、トリガーポンプに対するノズルカバーの組付き状態を、両側板による挟み込みにより得ることができるので、トリガーポンプに対するノズルカバーの変位を、両側板に沿った方向に簡単に得ることができ、移動機構を容易に構成することができる。
【００２６】
移動機構を、ノズルカバーの両側板の、対向した下端箇所を、トリガーポンプに、軸止ピンにより回動可能に軸止して構成したものにあっては、ノズルカバーの停止位置と可動位置の間の移動を、単純な回動変位により達成できるので、その取扱いが簡単である。
【００２７】
移動機構を、トリガーの両側面とノズルカバーの両側板の内面の一方に、前後方向に沿って形成されたガイド溝と、他方に、前記ガイド溝に移動可能に係合する係合ピンとから構成したものにあっては、ノズルカバーの停止位置と可動位置の間の移動を、ガイド溝に沿った単純なスライド移動により達成できるので、その取扱いが簡単である。
【００２８】
ロック機構を、ノズルカバーに設けたストッパー片と、トリガーに設けた係止突片とから構成したものにあっては、ノズルカバーを停止位置に保持した状態で、トリガーの下降揺動変位を阻止するので、高い安全性を得ることができる。
【発明を実施するための最良の形態】
【００２９】
以下、本発明の実施形態を、図面を参照しながら説明する。
本発明のトリガーポンプ付き容器は、内容液を収納したボトル状の容器体１と、この容器体１の上端の口筒部に、螺合等により密に組付くトリガーポンプ２と、このトリガーポンプのノズルを含めた上端部を、跨いで覆うノズルカバー１１とから構成されている。
【００３０】
トリガーポンプ２は、容器体１の口筒部に密に組付く組付きキャップ３により、容器体１内にシリンダ（図示省略）を装着し、このシリンダ内から上方に付勢させてステム（図示省略）を設け、組付きキャップ３の上面中央から起立設された支持筒４にステムを内装し、このステムの上端に、側方にノズル８を延出させたノズルヘッド７を連結し、また組付きキャップ３の上面後側から、斜め後上方に支柱５を起立設し、この支柱５の上端に、トリガー６の後端を枢着ピン９で揺動可能に枢着し、トリガー６の下方への揺動により、受けピン１０を介してノズルヘッド７を押下げる構造となっている。
【００３１】
このトリガーポンプ２には、ノズル８を含めた上端部を跨いで覆うノズルカバー１１が、移動機構１４により、ノズル８を覆うと共に、トリガー６の揺動を不能とする停止位置と、ノズル８を開放すると共に、トリガー６の揺動を可能とする可動位置との間で、移動可能に組付けられている。
【００３２】
ノズルカバー１１は、前後に湾曲した細長板状となった頂板１２の両側縁から、左右一対の側板１３を垂下状に連設した、縦断面形状が縦長門形となっており、トリガーポンプ２に対して、両側板１３により挟み付ける形態で組付く。
【００３３】
図１および図２に示した第一実施形態例の場合、ノズルカバー１１の側板１３の下端部を、対向した組付きキャップ３の支持筒４に軸止ピン１５により回動可能に軸止させて、移動機構１４を構成している。
【００３４】
この第一実施形態例の場合、図１に示した停止位置の状態で、ノズル８は、その開口端をノズルカバー１１で覆われており、ノズルカバー１１の両側板１３の内面に突設されたストッパー片１９と、トリガー６の下端縁に突設された係止突片２０とで構成されるロック機構１８がロック状態、すなわちストッパー片１９が係止突片２０に乗り越え係止した状態となって、ストッパー片１９がトリガー６の下端縁に当接しているので、トリガー６は下降揺動変位不能となっている。
【００３５】
この停止位置の状態から、ロック機構１８のロックを外しながら、ノズルカバー１１を、図２に示す、可動位置に回動移動させると、ノズル８が開放された状態となると共に、トリガー６に対し、ストッパー片１９が離れて下方に変位するので、トリガー６は揺動動作可能状態となる。
【００３６】
図３および図４に示した第二実施形態例の場合、トリガー６の両側面に、前後方向に沿ったガイド溝１７を刻設し、ノズルカバー１１の両側板１３の内面に、ガイド溝１７にスライド可能に係合する係合ピン１６を設けて、移動機構１４を構成している。
【００３７】
この第二実施形態例の場合、図３に示した停止位置の状態で、ノズル８は、その開口端をノズルカバー１１で覆われており、ノズルカバー１１の両側板１３の内面に突設されたストッパー片１９と、トリガー６の下端縁に突設された係止突片２０とで構成されるロック機構１８がロック状態、すなわちストッパー片１９が係止突片２０に乗り越え係止した状態となって、ストッパー片１９が、トリガー６の下端縁に当接していると共に、不動部分である支持筒４の上端面に当接しているので、トリガー６は下降揺動変位不能となっている。
【００３８】
この停止位置の状態から、ノズルカバー１１を、後方に押して、係合ピン１６が係合したガイド溝１７に沿って後方にスライド移動させると、ストッパー片１９の、係止突片２０に対する乗り越え、および支持筒４の上端面からの離脱により、ロック機構１８のロックが外れる。
【００３９】
このまま、ノズルカバー１１を、図４に示す、可動位置にスライド移動させると、ノズル８が開放された状態となると共に、ストッパー片１９に対して下方から突き当たる部分がなくなるので、トリガー６は揺動可能状態となる。
【図面の簡単な説明】
【００４０】
【図１】本発明の第一実施形態例の、停止位置の側面図である。
【図２】本発明の第一実施形態例の、可動位置の側面図である。
【図３】本発明の第二実施形態例の、停止位置の側面図である。
【図４】本発明の第二実施形態例の、可動位置の側面図である。
【符号の説明】
【００４１】
１  ；  容器体
２  ；  トリガーポンプ
３  ；  組付きキャップ
４  ；  支持筒
５  ；  支柱
６  ；  トリガー
７  ；  ノズルヘッド
８  ；  ノズル
９  ；  枢着ピン
１０；  受けピン
１１；  ノズルカバー
１２；  頂板
１３；  側板
１４；  移動機構
１５；  軸止ピン
１６；  係合ピン
１７；  ガイド溝
１８；  ロック機構
１９；  ストッパー片
２０；  係止突片
【図１】
0005333812.tif 000002
【図２】
0005333812.tif 000003
【図３】
0005333812.tif 000004
【図４】
0005333812.tif 000005